(57)【要約】【課題】有効ろ過面積比が充分に大きく、且つ、洗浄容易性に優れるろ材を用いた、高効率なろ過方法を提供する。【解決手段】１枚又は複数枚のシート状体が複数層にわたり積層されてなる積層構造を含む積層体よりなるろ材を用いるろ過方法である。かかるろ過方法では、被処理水をろ過するにあたり、積層体の積層断面をろ過面として用いてろ過する工程を含む。【選択図】図１
2020146615.tif 000002
【特許請求の範囲】
【請求項１】
一次側領域と二次側領域とを隔てる積層体により被処理水をろ過してろ過水を得るろ過方法であって、
前記積層体は、１枚又は複数枚のシート状体が複数層にわたり積層されてなる積層構造を含み、前記積層構造を形成する各層の端面よりなる一つの積層断面を第１積層断面、該第１積層断面の裏面に相当する積層断面を第２積層断面として、
前記第１積層断面は前記一次側領域に面しており、前記第２積層断面は前記二次側領域に面しており、
前記被処理水を、前記一次側領域から前記第１積層断面を介して前記積層体に導入し、前記第２積層断面からろ過水を流出させて前記二次側領域に供給する工程を含む、
ろ過方法。
【請求項２】
前記シート状体がろ布である、請求項１に記載のろ過方法。
【請求項３】
シート状体が複数層積層されてなる積層体と、該積層体を支持する支持体と、を備えるろ過体であって、
前記積層体は、１枚又は複数枚のシート状体が複数層積層されてなる積層構造を含み、前記積層構造を形成する各層の端面よりなる一つの積層断面を第１積層断面、該第１積層断面の裏面に相当する積層断面を第２積層断面として、
前記支持体が、前記第１積層断面の少なくとも一部と、前記第２積層断面の少なくとも一部とを、露出した状態で、前記積層体を支持する、
ろ過体。
【請求項４】
前記シート状体がろ布である、請求項３に記載のろ過体。
【請求項５】
前記積層構造の積層方向が１方向である、請求項３又は４に記載のろ過体。
【請求項６】
前記積層体が、１枚又は複数枚の前記シート状体が捲回されることにより形成された捲回積層体である、請求項３又は４に記載のろ過体。
【請求項７】
請求項３〜６の何れかに記載のろ過体を備える、ろ過装置。
【請求項８】
前記ろ過体の前記第２積層断面側に配置され前記第２積層断面より流出するろ過水を貯留する処理水貯留部と、
前記処理水貯留部に接続され前記ろ過水を装置外へ流出させる処理水流出部と、を備える、請求項７に記載のろ過装置。
【請求項９】
前記ろ過体を２枚備え、
前記処理水貯留部が、前記２枚のろ過体の各第２積層断面に隣接するように、前記２枚のろ過体に挟まれて配置されている、請求項８に記載のろ過装置。
【請求項１０】
前記ろ過体により一次側領域と二次側領域とに区分された流路を有し、
前記流路の前記一次側領域内に、前記ろ過体の平面形状と同じ断面形状のテーパ部が配置され、且つ、前記二次側領域内に、前記二次側領域から前記一次側領域に向かう方向で前記ろ過体を押圧する押圧具が配置されており、
前記押圧具により押圧された前記ろ過体の一部が前記テーパ部の内表面に接触することにより前記ろ過方向にて前記ろ過体が位置決めされて保持される、請求項７に記載のろ過装置。
【請求項１１】
厚み分の距離を隔てて配置された表面及び裏面を有する板状のろ過用積層体であって、
１枚又は複数枚の帯状のシート状体が複数層積層されてなる積層構造を含み、
前記積層構造を形成する各層の端面よりなる一対の積層断面が、それぞれ、前記表面及び裏面に相当する、ろ過用積層体。
【請求項１２】
前記積層構造を形成する各層が、隣接する他の層と少なくとも１つの連結部を介して連結されてなる、請求項１１に記載のろ過用積層体。
【請求項１３】
前記積層構造を形成する各層が長手方向端部の内の少なくとも一方に孔を有しており、該孔が、前記積層体を積層方向に貫通する支持棒を収容することにより、前記積層体の積層構造が維持され、
前記支持棒が、前記支持棒の前記積層方向における位置を固定する固定具を含む、請求項１１に記載のろ過用積層体。
【請求項１４】
前記積層構造が、長手方向の一端部が第１の棒に固定され、他端部が第２の棒に固定されてなる、一枚の帯状のシート状体の捲回体により形成されてなり、
前記第１及び前記第２の棒が、少なくとも一つの固定具により固定されることで、前記捲回体の捲回構造が維持される、請求項１１に記載のろ過用積層体。
【発明の詳細な説明】
【技術分野】
【０００１】
本発明は、ろ過方法、ろ過体、ろ過装置、及び、ろ過用積層体に関する。特に、本発明は、水分及び固形分を含有する被処理水をろ過する際に好適に適用しうるろ過方法、ろ過体、ろ過装置、及びろ過用積層体に関する。
【背景技術】
【０００２】
従来、固形分を含有する液体又は気体等の流体から、固形分を除去する方法が種々検討されている。例えば、特許文献１では、空調システムに組み込まれて空気をろ過するために使用されうる空調用フィルタであって、蛇腹状に織りこんだろ布を２枚重ね合わせて外枠内に収納してなるフィルタが開示されている。特許文献２では、ろ布を２枚重ね合わせることで、フィルタによる集塵効率をろ布１枚を使用した場合よりも高めている。
【先行技術文献】
【特許文献】
【０００３】
【特許文献１】特開２００３−１８１２２３号公報
【発明の概要】
【発明が解決しようとする課題】
【０００４】
ここで、ろ過効率を高めるためには、ろ材の有効ろ過面積比が大きく、且つ、有効ろ過面積比がろ過処理を実施している期間を通じて、減少し難いことが求められている。しかし、一般に、ろ材を用いたろ過方法では、ろ過処理の時間経過とともに、ろ材に目詰まりが生じ有効ろ過面積比が減少して、ろ過効率が低下する。このため、洗浄処理などを行って、ろ材の目詰まりを解消する必要がある。しかし、特許文献１に記載されたフィルタでは、ろ材の有効ろ過面積比に拡大の余地があるとともに、ろ材を洗浄する際の洗浄容易性にも改善の余地があった。
【０００５】
そこで、本発明は、有効ろ過面積比が充分に大きく、且つ、洗浄容易性に優れるろ材を用いた、高効率なろ過方法及びろ過装置を提供することを目的とする。
また、本発明は、本発明のろ過方法及びろ過装置に好適に用い得るろ過体、及び当該ろ過体に好適に適用されうるろ過用積層体を提供することを目的とする。
【課題を解決するための手段】
【０００６】
本発明者は、上記課題を解決することを目的として鋭意検討を行った。そして、本発明者は、シート状体、即ち、表面及び裏面が厚み分の距離を隔てて対向してなるシート状の物体を積層して形成したろ過用積層体をろ材として用いるにあたり、かかるろ過用積層体の積層断面をろ過面として用いることで、ろ材の有効ろ過面積比を大きくすることができ、且つ、ろ材の洗浄容易性を高めることができることを新たに見出し、本発明を完成させた。
【０００７】
即ち、この発明は、上記課題を有利に解決することを目的とするものであり、本発明のろ過方法は、一次側領域と二次側領域とを隔てる積層体により被処理水をろ過してろ過水を得るろ過方法であって、前記積層体は、１枚又は複数枚のシート状体が複数層にわたり積層されてなる積層構造を含み、前記積層構造を形成する各層の端面よりなる一つの積層断面を第１積層断面、該第１積層断面の裏面に相当する積層断面を第２積層断面として、前記第１積層断面は前記一次側領域に面しており、前記第２積層断面は前記二次側領域に面しており、前記被処理水を、前記一次側領域から前記第１積層断面を介して前記積層体に導入し、前記第２積層断面からろ過水を流出させて前記二次側領域に供給する工程を含む、ことを特徴とする。かかる特定構造の積層体は、洗浄する際の洗浄容易性に優れる。また、積層体の積層断面に対して被処理水を流入させる、即ち、積層断面をろ過面として用いてろ過を行うことで、ろ過効率を高めることができる。
【０００８】
さらに、本発明のろ過方法にて、前記シート状体がろ布であることが好ましい。ろ布よりなる積層体を用いることで、ろ過効率及び洗浄容易性を一層高めることができるからである。
【０００９】
また、この発明は、上記課題を有利に解決することを目的とするものであり、本発明のろ過体は、シート状体が複数層積層されてなる積層体と、該積層体を支持する支持体と、を備えるろ過体であって、前記積層体は、１枚又は複数枚のシート状体が複数層積層されてなる積層構造を含み、前記積層構造を形成する各層の端面よりなる一つの積層断面を第１積層断面、該第１積層断面の裏面に相当する積層断面を第２積層断面として、前記支持体が、前記第１積層断面の少なくとも一部と、前記第２積層断面の少なくとも一部とを、露出した状態で、前記積層体を支持する、ことを特徴とする。積層断面を表面及び裏面とする板状の積層体を含み、表裏の積層断面が露出した状態で支持されてなるろ過体は、ろ過効率及び洗浄容易性に優れており、上述した本発明のろ過方法に好適に用いることができる。
【００１０】
ここで、本発明のろ過体にて、前記シート状体がろ布であることが好ましい。ろ布よりなる積層体を備えるろ過体は、ろ過効率及び洗浄容易性に一層優れるからである。
【００１１】
さらに、本発明のろ過体にて、前記積層構造の積層方向が１方向であっても良いし、前記積層体が、１枚又は複数枚の前記シート状体が捲回されることにより形成された捲回積層体であっても良い。
【００１２】
また、この発明は、上記課題を有利に解決することを目的とするものであり、本発明のろ過装置は、上述した何れかのろ過体を備えることを特徴とする。上述した何れかのろ過体を含む、本発明のろ過装置は、ろ過効率及びろ過効率再生能に優れる。ここで、ろ過効率再生能とは、ろ過体の洗浄容易性に応じて付与されうる性能であり、ろ過効率が低下した場合に、ろ過体の洗浄等を行うことで、ろ過効率が再生する性能を意味する。
【００１３】
ここで、本発明のろ過装置が、前記ろ過体の前記第２積層断面側に配置され前記第２積層断面より流出するろ過水を貯留する処理水貯留部と、前記処理水貯留部に接続され前記ろ過水を装置外へ流出させる処理水流出部と、を備えていても良い。かかる構成を有するろ過装置は、ろ過効率及びろ過効率再生能に優れる。
【００１４】
さらに、本発明のろ過装置が、前記ろ過体を２枚備え、前記処理水貯留部が、前記２枚のろ過体の各第２積層断面に隣接するように、前記２枚のろ過体に挟まれて配置されていても良い。
【００１５】
さらに、本発明のろ過装置が、前記ろ過体により一次側領域と二次側領域とに区分された流路を有し、前記流路の前記一次側領域内に、前記ろ過体の平面形状と同じ断面形状のテーパ部が配置され、且つ、前記二次側領域内に、前記二次側領域から前記一次側領域に向かう方向で前記ろ過体を押圧する押圧具が配置されており、前記押圧具により押圧された前記ろ過体の一部が前記テーパ部の内表面に接触することにより前記ろ過方向にて前記ろ過体が位置決めされて保持される構成を有していても良い。かかる構成を有するろ過装置は、ろ過効率及びろ過効率再生能に優れる。
【００１６】
また、この発明は、上記課題を有利に解決することを目的とするものであり、本発明のろ過用積層体は、厚み分の距離を隔てて配置された表面及び裏面を有する板状のろ過用積層体であって、１枚又は複数枚の帯状のシート状体が複数層積層されてなる積層構造を含み、前記積層構造を形成する各層の端面よりなる一対の積層断面が、それぞれ、前記表面及び裏面に相当することを特徴とする。かかる構造を有するろ過用積層体は、有効ろ過面積比が充分に大きく、且つ、洗浄容易性に優れる。
【００１７】
ここで、本発明のろ過用積層体において、前記積層構造を形成する各層が、隣接する他の層と少なくとも１つの連結部を介して連結されてなることが好ましい。連結部を有するろ過用積層体は、洗浄後のろ過用積層体の形状復元性に優れる。
【００１８】
さらに、本発明のろ過用積層体において、前記積層構造を形成する各層が長手方向端部の内の少なくとも一方に孔を有しており、該孔が、前記積層体を積層方向に貫通する支持棒を収容することにより、前記積層体の積層構造が維持され、前記支持棒が、前記支持棒の前記積層方向における位置を固定する固定具を含んでいても良い。かかる構造のろ過用積層体は、洗浄時に、連結部以外の部分の隣接層との間隙を広めることが可能となり洗浄容易性に優れるとともに、洗浄後のろ過用積層体の形状復元性に優れる。
【００１９】
さらに、本発明のろ過用積層体において、前記積層構造が、長手方向の一端部が第１の棒に固定され、他端部が第２の棒に固定されてなる、一枚の帯状のシート状体の捲回体により形成されてなり、前記第１及び前記第２の棒が、少なくとも一つの固定具により固定されることで、前記捲回体の捲回構造が維持されていても良い。かかる構造のろ過用積層体は、洗浄時の洗浄容易性に優れるとともに、洗浄後のろ過用積層体の形状復元性に優れる。
【発明の効果】
【００２０】
本発明によれば、有効ろ過面積比が充分に大きく、且つ、洗浄容易性に優れるろ材を用いた、高効率なろ過方法及びろ過装置を提供することができる。
また、本発明によれば、本発明のろ過方法に好適に用い得るろ過体及び当該ろ過体に好適に適用されうるろ過用積層体を提供することができる。
【図面の簡単な説明】
【００２１】
【図１】本発明のろ過方法を説明するための概略図である。
【図２】シート状体が捲回されてなる、捲回積層体の概略図である。
【図３】積層体の連結パターンの一例を説明するための概略図である。
【図４】積層体の連結パターンの一例を説明するための概略図である。
【図５】積層体の連結パターンの一例を説明するための概略図である。
【図６】積層体の連結パターンの一例を説明するための概略図である。
【図７】積層体の連結パターンの一例を説明するための概略図である。
【図８】捲回積層体の捲回積層構造を形成し、維持するための構造の一例を説明するための概略図である。
【図９】積層構造の一例を説明するための概略図である。
【図１０】本発明のろ過体の一例を説明するための概略図である。
【図１１Ａ】本発明のろ過体の一例を説明するための概略図である。
【図１１Ｂ】図１１Ａに示すろ過体の側面図である。
【図１２】本発明のろ過体の構成要素である挟持部材の一例を説明するための概略図である。
【図１３】挟持部材を含む本発明のろ過体の構造の他の一例を示す概略図である。
【図１４】本発明のろ過体の構成要素である挟持部材の一例を説明するための概略図である。
【図１５Ａ】本発明のろ過体の構成要素である挟持部材の一例を説明するための概略図である。
【図１５Ｂ】図１５Ａに示す挟持部材を含むろ過体の平面図である。
【図１６Ａ】本発明のろ過装置の一例を説明するための概略図である。
【図１６Ｂ】図１６Ａに係るろ過装置の断面図である。
【図１７Ａ】本発明のろ過装置の一例を説明するための概略図である。
【図１７Ｂ】図１７Ａに係るろ過装置の断面図である。
【図１８Ａ】本発明のろ過装置の一例を説明するための概略図である。
【図１８Ｂ】図１８Ａに係るろ過装置の断面図である。
【図１９Ａ】本発明のろ過装置の一例を説明するための概略図である。
【図１９Ｂ】図１９Ａに係るろ過装置を実装した沈殿池の概略図である。
【図２０Ａ】本発明のろ過装置の一例を説明するための分解斜視図である。
【図２０Ｂ】図２０Ａを参照して説明したろ過装置の断面図である。
【図２０Ｃ】図２０Ａ〜Ｂを参照して説明したろ過装置を実装したろ過槽の概略図である。
【図２１Ａ】本発明のろ過装置の一例を説明するための概略図である。
【図２１Ｂ】図２１Ａに係るろ過装置の断面図である。
【図２２】本発明のろ過装置の一例を説明するための概略図である。
【発明を実施するための形態】
【００２２】
以下、本発明の実施形態について詳細に説明する。本発明のろ過方法及びろ過装置は、汚泥等の固形分を含有する被処理水の処理施設において採用されうる。中でも、本発明のろ過方法及びろ過装置は、上下水道の水処理工程で発生する被処理水を処理する際等に好適に用いることができる。本発明のろ過方法及びろ過装置は、既存の水処理装置に用いられているろ過板を、後述するような特定構造のろ過体に置換する等して、比較的容易に実施又は実装することができる。
【００２３】
（ろ過方法）
本発明のろ過方法は、一次側領域と二次側領域とを隔てる所定の積層構造を有するろ過用の積層体により被処理水をろ過してろ過水を得るろ過方法である。本発明のろ過方法で用いるろ過用積層体（以下、単に「積層体」とも称することが有る。）は、１枚又は複数枚のシート状体が複数層にわたり積層されてなる積層構造を含む。かかる積層体は、積層構造を形成する各層の端面よりなる積層断面を有する。そして、本発明のろ過方法は、積層体の一つの積層断面を第１積層断面、当該第一積層断面の裏面に相当する積層断面を第２積層断面として、ろ過を実施するにあたり、第１積層断面が一次側領域に面し、第２積層断面は二次側領域に面するように配置した場合に、被処理水を、一次側領域から第１積層断面を介して積層体に導入し、第２積層断面からろ過水を流出させて二次側領域に供給する工程を含むことを特徴とする。換言すると、本発明のろ過方法では、積層体の積層方向と、一次領域側から二次領域側へと向かうろ過方向とが、実質的に直交する関係が成立している。
【００２４】
ろ過用積層体の積層断面を用いてろ過を行うことで、ろ過効率を高めることができる。これは、積層断面により得られる有効ろ過面積比が、従来用いられてきたような一般的なろ材よりも大きいことに起因する。更に、積層断面をろ過面とするろ過体は、洗浄容易性に優れる。これは、ろ過体を洗浄する際に積層構造を開放することにより、積層体の内部まで洗浄することが可能となるからである。また、例えば、従来から用いられてきたような、ろ布表面等をろ過面とするろ過板では、ろ布を支持枠と連結するために形成された縫い目等が、本来ならろ過板にてトラップされるべき固形分の抜け穴となることがあった。本発明の濾過方法では、積層断面をろ過面として用いるため、そのような抜け穴は形成されない。このような観点からも、本発明のろ過方法によればろ過性能を高めることができる。
【００２５】
図１を参照して、本発明のろ過方法の流れを説明する。被処理水中に含まれる、汚泥粒子等の固形分は、ろ過を継続した際に第１積層断面１上にて堆積して、汚泥堆積層４を形成する。また、被処理水中の固形分は、積層体１０に含まれる各層を形成するシート状体３間の積層界面（間隙）に形成された流路においてもトラップされうる。一方、固形分が除去された水分は、積層体１０の第２積層断面２から流出して二次側領域に供給される。
【００２６】
なお、図１に示すような、汚泥堆積層４を有する積層体１０を用いて、一般的に、「ケーキろ過」と称されるろ過方法を実施することも可能である。「ケーキろ過」方法では、積層体１０と共に、汚泥堆積層４もフィルタのような機能を奏しうる。
【００２７】
汚泥堆積層４を経て積層体１０内に到達した水分は、各層間の間隙において、各層を構成するシート状体表面の凹凸により形成された流路を拡散する。なお、水分が流路を拡散する際の推進力は、積層体１０により区分される一次側領域及び二次側領域間の差圧によって付与されても良いし、流路にて生じうる毛細管現象等によって付与されても良いし、これら双方により付与されても良い。
【００２８】
＜ろ過用積層体＞
図１に概略的に示したような、本発明のろ過方法において用い得る積層体の一例としての積層体１０は、複数枚のシート状体３が積層されてなる積層構造を含む板状体である。かかる板状体は、表面（図１の第１積層断面１に相当）及び裏面（図１の第２積層断面２に相当）が厚み分の距離を介して対向してなる形状を有する。さらに、図１に示す積層体１０は、「積層構造の積層高さ」の値及び「シート状体の長手方向の長さ」の値の双方よりも、「厚み」の値が小さい、板状体である。なお、シート状体３も同様に、２つの主面（即ち、表面及び裏面）が厚み分の距離を介して対向してなる形状を有している。ここで、「シート状体」と「板状体」とは、形状面では共通の特徴を有するが、「板状体」の厚みの方が「シート状体」の厚みより厚い。さらに、シート状体３により積層構造を構築した状態では、シート状体３の厚み方向と、積層体１０（板状体）の厚み方向とが、直交する関係にある。
【００２９】
図１では、一例として、積層構造に含まれる各層が、それぞれ一枚のシート状体によって構成される態様を示す。しかし、かかる例示の態様にとらわれることなく、積層構造は、一枚のシート状体が、折り曲げ、或いは、捲回されることにより構成されていても良い。そして、積層体１０の第１積層断面１及び第２積層断面２は、それぞれ、積層構造を形成する各層の端面の集合体である。さらに、シート状体３は、表面及び裏面のうちの少なくとも一方の表面形状が凹凸を有することで、複数枚のシート状体３を相互に重畳させて積層体１０を形成した場合に、シート状体３間の界面にて、流体が拡散可能な流路（間隙）を形成し得る物体である。
【００３０】
本発明のろ過方法では、かかる積層断面を用いてろ過を行うため、有効ろ過面積比を大きくすることができる。このため、本発明のろ過方法は、ろ過効率が高い。なお、いうまでもなく、積層体１０の積層構造は、ろ過を実施している最中は維持される。
【００３１】
上記のように、積層構造の各層を構成するシート状体３は、表面又は裏面の少なくとも一方の表面形状が、凹凸を有する。積層構造において隣接する２つの層を形成するシート状体３の対向表面は、両方が凹凸を有していても良いし、一方が凹凸を有していれば、他方が平坦であってもよい。隣接する２つの層の各対向表面のうちの少なくとも一方が凹凸を有していれば、流路を形成可能である。
【００３２】
ここで、「凹凸」の形状は特に限定されない。例えば、シート状体３が、織布又は不織布のような、繊維よりなるシートである場合には、繊維による凹凸が、シート表面に現れ得る。従って、例えば、シート状体３が織布よりなる場合には、織布の織目に沿った規則的な形状が、シート状体３の表面及び裏面の凹凸形状に対応する。ここで、織目のパターンは特に限定されることなく、あらゆるパターンであり得る。例えば、織目のパターンとしては、朱子織及び杉綾織等の、織目を形成する織り糸が一定の方向に並列して配置されてなるパターンが挙げられる。また、例えば、シート状体３が、樹脂組成物を、射出成形及び押出成形等の一般的な成形方法によってフィルム状に成形してなる樹脂成形物である場合には、エンボス加工等の表面加工方法に供されることによって、表面に凹凸が形成されうる。この場合、凹凸形状は任意の形状であり得る。一例としては、特開２０１５−２２７５６５号公報に開示されたシートが有する表面形状が挙げられる。
【００３３】
ここで、積層体１０は、使用に伴い、汚泥堆積層４が過密になる、厚膜化する、或いは、積層体１０の各層間の界面に目詰まりが生じる等によりろ過効率が低下しうる。このため、積層体１０のろ過性能を回復させるために、積層体１０を洗浄することがある。積層体１０の洗浄は、積層体１０に付着した汚泥堆積層４を除去することができ、且つ／又は、積層体１０の層界面から固形分を除去することが可能である限りにおいて特に限定されることなく、既知の洗浄方法で実施することができる。例えば、積層体１０の洗浄方法としては、積層体の積層構造を開放して層間の間隙を広くして洗い流す洗浄法が挙げられ、この他に積層体１０の二次側領域側から一次側領域側に洗浄水を流す逆流洗浄法等を挙げることができる。
【００３４】
積層体１０の洗浄容易性を一層速める観点から、積層構造を形成するシート状体３がろ布であることが好ましい。ろ布の材質は、特に限定されることなく、例えば、ポリオレフィン、ポリアミド（ナイロン）、及びポリエステル等の各種合成樹脂材料、又は、種々の天然樹脂材料であり得る。また、積層構造が複数枚のシート状体３を含む場合には、かかる複数枚のシート状体が全て同じ種類のシート状体であっても良いし、異なる種類のシート状体であっても良い。換言すると、積層体１０中に、複数の種類のシート状体３が混在していても良い。
【００３５】
なお、積層体１０に含まれる積層構造の積層数は、特に限定されることなく、本発明のろ過方法を適用する用途及び装置の仕様等に応じて、適宜調節することができる。また、積層体１０のサイズは、設置箇所等の条件に応じて適宜変更することができる。
【００３６】
また、原水の水質に応じた適切なろ過性能を保持するために、積層構造における流路（間隙）の大きさを調整できるようにしてもよい。例えば、隣接するシート状体３間にスペーサー（例えば、バーや平板等）を介在させることで、流路を広げることができる。あるいは、積層構造の上側から圧力をかけて、積層体を押し潰す、或いは、シート状体３を変形させることで、流路を狭くすることができる。
【００３７】
ここで、図１に示した、一例に係る積層体１０は、厚み分の距離を隔てて配置された表面及び裏面を有する板状の積層体である。かかる積層体１０において、積層構造を形成する各層の端面よりなる積層断面が、表面及び裏面に相当する。図１では、積層体１０を構成する各層の積層方向は１方向（図１における上下方向に相当）である。その一方で、本発明のろ過方法にて用いることができる他の例に係る積層体は、図２に示すように、シート状体３’が捲回されることにより積層された捲回積層体１１であっても良い。
【００３８】
積層方向が１方向である積層体は、図１に示すように積層構造を構成する各層が１枚のシート状体３より形成されてなる積層体１０であっても良いし、一枚のシート状体が折り曲げられることにより積層されて、複数の層を形成してなる積層体であっても良い。そして、積層構造に含まれる各層は、隣接層との連結部を少なくとも１つ有していることが好ましい。積層体の積層構造に含まれる各層が、隣接層との連結部を少なくとも１つ有していれば、積層体を洗浄した後に、再度積層構造を形成して積層体とする際の形状復元性を高めることができる。以下、図３〜７を参照して、積層体の連結パターンの幾つかの例を具体的に説明する。
【００３９】
図３に示す積層構造では、連結部５αが、積層体を構成し得る各層６ａの長手方向両端部、及び長手方向中央部の何れかに配置されている。より具体的には、積層構造の積層方向（図３における上下方向）において、各層６ａの長手方向両端部に配置された端部連結部５Ｅと、長手方向中央部に配置された中央連結部５Ｍとが、交互に繰り返されるように配置されている。連結部５αは、両面テープ、接着剤、薄型ビス、溶着部、及び縫製部等の着脱不可の連結部、或いは、マグネット等の磁性体、面ファスナー、スナップ、フック等の留め具、及び再剥離性を有する接着部等の着脱可能な連結部により実装されうる。中でも、図３に示す積層構造において、着脱不可の連結部を採用することが好ましい。上記したような着脱可能な連結部は着脱不可の連結部に比べて厚みのある構造をとる場合が多く、中央連結部５Ｍの厚みが薄い方が、ろ過性能を高め易いからである。
【００４０】
図３に示す積層構造では、洗浄容易性と、洗浄後の積層構造の復元容易性とをバランスよく両立することができる。より具体的には、積層体を洗浄する際に、積層体にて洗浄水等に起因して応力が生じるが、図３に示したような連結構造によれば、積層体に生じた応力を均等に分散させることができる。このため、洗浄による積層体の劣化を抑制することができる。更に、かかる連結構造によれば、連結部が、着脱不可の連結部及び着脱可能な連結部の何れにより構成される場合であっても、洗浄時に層間の間隙を均等に開放することができるため、洗浄容易性を一層高めることができる。なお、各層６ａの「端部」は、各層６ａの長手方向における最端部である必要は無く、各層６ａの長手方向における最端部から所定距離内の位置であればよい。
【００４１】
また、図４〜５に示すように、積層構造を形成する各層６ｂ又は６ｃが隣接する他の層と少なくとも１つの連結部５β又は５γを介して連結されてなり、かかる連結部５β又は５γが、各層６ｂ又は６ｃの長手方向の両端部の内の何れか一方に配置されていても良い。かかる構成によっても、洗浄容易性と、洗浄後の積層構造の復元容易性とをバランスよく両立することができる。より具体的には、図４には、積層構造の積層方向（図４における上下方向）において、上下の連結部５βが各層６ｂの長手方向の両端部に交互に配置されるようになっている構成を示す。また、図５には、各層の長手方向の共通する一端部のみに連結部５γが配置されるようになっている構成を示す。なお、図４〜５に示す例における「端部」の意味するところは、図３を参照して説明した意味と同じである。また、連結部５β又は５γを実装する際には、図３を参照して説明した連結部５αと同様の態様で実装することができる。ここで、図４〜５に示すように、連結部５β又は５γが、各層６ｂ又は６ｃの長手方向の両端部の内の少なくとも何れか一方に配置されており、各層６ｂ又は６ｃの中央部に連結部が配置されていなければ、積層体を含んでなるろ過体によるろ過効率を一層高めることができる。なお、各層６ｂ又は６ｃの長手方向の端部に配置された連結部５β又は５γは、後述するような枠体を備えるろ過体において、積層体の端部が枠体内に収容されうる。このため、このような態様のろ過体においては、連結部５β又は５γにより有効ろ過面積比が小さくなることは無い。
【００４２】
図５に示すような連結部５γの配置態様は、積層体の積層枚数が少ない場合に適している。積層枚数が少ない、例えば、積層枚数が１０枚以下程度である場合に、連結部５γを図５に示すような態様で配置すれば、積層体の洗浄容易性を良好に担保することができる。また、図５に示すような、各層の長手方向の共通する一端部のみに連結部５γが配置される態様は、連結箇所の数が少ない。一般に、積層体の繰り返しの使用及び洗浄等に際して、連結箇所には応力が集中し易く、破壊点となり易い傾向がある。よって、連結箇所の少ない図５に示す配置態様は、積層体の耐久性を高めるという点で有利である。なお、連結部５γも、図３を参照して説明した連結部５αと同様の態様で実装することができる。さらに、連結部５γは、簡便性の観点から、着脱不能な連結部として実装されることが好ましい。
【００４３】
さらにまた、図６〜７に示すように、積層構造を形成する各層６ｄが、隣接する他の層と少なくとも１つの連結部５δを介して連結されていてもよい。かかる構成では、洗浄容易性と、洗浄後の積層構造の復元容易性とをバランスよく両立することができる。より具体的には、図６に示す積層構造は、ジグザグ状にたたまれた一枚のシート状体３”よりなり、畳まれ、相互に重ねられて形成された積層構造における各層間が、連結部５δにより、各層の長手方向の両端部にて連結されている。なお、洗浄容易性を一層高める観点から、図６に示す積層構造を採用する場合には、連結部５δは着脱可能な連結部として構成されることが好ましい。図６に示すような、一枚のシート状体３”により形成された積層体は、ローラー等を用いた洗浄に適している。また、図６に示す様な形状の積層体を構成する際に用いるシート状体３”が、表裏共に同じパターン（例えば、織り目形状）を有することが好ましい。各層６ｄ界面にて形成される流路が同一となり、ろ過性能を一層高めることができるからである。なお、図６に示すようなジグザグ状に折りたたまれてなる積層体は、端部の折り返し部分における層間の隙間が大きく、かかる箇所が対応する積層断面の部分（即ち、積層断面の周縁部）におけるろ過性能が、積層断面の周縁部よりも内側の部分におけるろ過性能に比較して劣るため、後述するような、枠体を備えるろ過体の構成要素とする際には、かかる部分を枠体内に収容することが好ましい。
【００４４】
図７に示す積層構造では、各１枚のシート状体３’’’より形成される層６ｅが長手方向の両端部に連結部５εを有しており、隣接する他の層６ｅと連結されている。なお、洗浄容易性を一層高める観点から、図７に示す積層構造を採用する場合には、連結部５εは着脱可能な連結部として構成されることが好ましい。また、図７に示す積層構造において、各層６ｅの長手方向最端部から、連結部５εまでの領域に位置する層界面を経て、ろ過が不十分な被処理水が流出しないように、かかる領域に間詰め層を設けても良い。かかる間詰め層は、被処理水の通過を妨げることができる限りにおいて特に限定されることなく、樹脂又は粘土等により形成することができる。
【００４５】
さらに、積層体が捲回積層体１１’である場合には、図８に示すように、積層体は、長手方向の一端部が第１の棒７Ａに固定され、他端部が第２の棒７Ｂに固定されてなる、一枚の帯状のシート状体の捲回体として構成される。そして、第１の棒７Ａ及び第２の棒７Ｂが、少なくとも一つの固定具８により固定されることで、捲回積層体１１’の捲回構造が維持されている。ここで、固定具８は、図８に示す例では、第１のガイド棒８Ａ及び第２のガイド棒８Ｂを備える。第１のガイド棒８Ａは第１ガイド孔Ｇ１を備え、第２のガイド棒８Ｂは第２ガイド孔Ｇ２を備える。そして、これらの第１及び第２ガイド孔Ｇ１及びＧ２には、第２の棒７Ｂが貫通している。さらに、第２の棒７Ｂには、位置ずれを防止するためのナット９等が取り付けられている。第１の棒がレバーＬ等の巻取手段を有しており、かかるレバーＬを操作してシート状体を巻き取ることで捲回積層体１１’を形成することができる。シート状体を捲回することに従って第１及び第２ガイド孔Ｇ１及びＧ２内を、下方向から上方向に第２の棒７Ｂがスライドし、捲回積層体の完成に伴ってナット９により第２の棒７Ｂの上下方向における位置が固定されうる。第１のガイド棒８Ａ及び第２のガイド棒８Ｂを備える固定具８は、捲回積層体１１’を厚み方向の両端面（即ち両積層断面）側から挟みこみ、捲回積層体１１’に対して、厚み方向の押圧力を加えるように構成されている。なお、捲回積層体１１’を洗浄する際には、ナット９を開放して巻きを緩める、或いは、巻きを開放する等により、捲回積層体１１’の層界面の間隙を広げて、洗浄することができる。
【００４６】
また、シート状体が連結部を有さない場合における積層構造の一例としては、図９のような、各層６ｆが一枚のシート状体により構成されてなり、各１枚のシート状体が、端部に支持棒１２を挿入可能な孔１３を有する態様が挙げられる。図９では、各層６ｆを構成する１枚のシート状体がそれぞれ長手方向両端部に１つずつ、計２つの孔１３を有する態様を具体的に示した。しかし、図示の態様に限定されることなく、例えば、各層を構成する１枚のシート状体が片側に１つの孔を有しており、１本の連結棒により積層構造を構成する全てのシート状体が連結される態様であっても良い。なお、支持棒１２は、頭部１４を有するボルトにより形成されており、積層構造を形成する複数のシート状体を貫通した状態で、積層体の積層構造を保持するための固定具（例えば、ナット。図示しない。）を有していても良い。かかる固定具により、積層方向における支持棒の位置が固定されるとともに、積層構造が維持されうる。さらに、図９では、各層６ｆを構成するシート状体の形状及びサイズを全て同じものとして示したが、積層構造がサイズの異なるシート状体により形成されていても良い。より具体的には、例えば、積層構造の下部から上部に向かって、シート状体の長手方向の長さが短くなり、積層断面が直角三角形状の積層構造が形成されても良い。
【００４７】
（ろ過体）
本発明のろ過体は、シート状体が複数層積層されてなる積層体と、該積層体を支持する支持体と、を備えるろ過体である。積層体は、１枚又は複数枚のシート状体が複数層積層されてなる積層構造を含む。本発明のろ過体において、積層体の積層構造を形成する各層の端面よりなる一つの積層断面を第１積層断面、該第１積層断面の裏面に相当する積層断面を第２積層断面とした場合に、支持体が、第１積層断面の少なくとも一部と、第２積層断面の少なくとも一部とを、露出した状態で、積層体を支持することを特徴とする。このような構造を有する本発明のろ過体は、ろ過効率及び洗浄容易性に優れる。
【００４８】
＜積層体＞
積層体としては、上述した本発明の積層体（ろ過用積層体）を好適に用いることができる。
【００４９】
＜支持体＞
支持体は、積層体の第１積層断面の少なくとも一部と、第２積層断面の少なくとも一部とを、露出した状態で、積層体を支持する。中でも、支持体が枠体を備えることが好ましい。枠体とは、積層体の端面を支持する部材を意味する。枠体の形状としては、例えば、図１０に示すような、積層体の第１及び第２積層断面が多角形状である場合に、係る多角形状の内の一部の辺に相当する端面を覆う部材と、残る辺に相当する端面を覆う部材とから組み立てられうる形状が挙げられる。なお、図１０では、積層体１０’（図３を参照して説明した連結態様を満たす積層構造を有する。）の第１及び第２積層断面が四角形状である場合に、かかる積層体１０’が、かかる四角形状の内の３つの辺に相当する端面を覆い、且つ、第１及び第２積層断面の各端部を覆うように成形された第１枠部材１５Ａと、残る一辺に相当する蓋状の第２枠部材１５Ｂとからなる枠体により支持されてなる構成を図示する。なお、図１０では、明確のために、積層体１０’のサイズを小さく、より具体的には、各層の長手方向の長さを短くして図示した。しかし、実際には、積層体１０’の各層の長手方向の長さは、第２枠部材１５Ｂの長手方向の長さに一致し、各層の長手方向両端部が第２枠部材１５Ｂにはめ込まれ、収容された状態となる。
【００５０】
第１枠部材１５Ａは、任意で、内壁に緩衝部材が配置されていても良い。かかる緩衝部材は、例えば、ゴム等の弾性材料よりなり、その配置態様は、第１枠部材の、第１及び第２積層断面の各端部を覆うエッジ部分ＥＤの内壁に沿うような配置態様であり得る。そして、第１枠部材１５Ａのような枠部材により、積層体の積層断面の周縁部を覆うことで、積層断面の中心部分よりもろ過性能に劣る部分がろ過に用いられないようにすることができる。これにより、ろ過性能を一層高めることができる。また、第２枠部材１５Ｂは、図示のような板状の部材に限定されることなく、例えば、第１及び第２積層断面の上側の周縁部を覆うエッジ部分を有していても良い。
【００５１】
また、図１１Ａ〜Ｂには、枠体の構造の他の一例として、ピボットにより連結されてなる２つの枠部材よりなる枠体を例示する。図１１Ａに斜視図を示すように、ピボットＰにより回転可能に支持されてなる上側枠部材１５Ｃ及び下側枠部材１５Ｄにより積層体１０”を収容することで、ろ過体を形成することができる。そして、図１１Ｂに側面図を示すように、上側枠部材１５Ｃ及び下側枠部材１５Ｄを閉鎖した状態にて、積層体１０”の積層断面の一部が露出した状態で支持されうる。
【００５２】
さらに、図１２〜図１５Ｂに示すように、支持体が、積層体に対して、挟持圧力を印加するように構成された挟持部材を含んでいても良い。より具体的には、図１２〜１３に示すように、積層体の対向する一対の端面を支持し得る形状の挟持部材１６、１６’を含む支持体が挙げられる。挟持部材１６は、図１２を参照して説明するように、第１挟持板１６Ａ及び第２挟持板１６Ｂが、両端が摺動部材Ｓ１に連結されてなるブレースＢ１を介して可動に連結されている。第１挟持板１６Ａは第１ガイド孔Ｇ３を、第２挟持板１６Ｂは、第２ガイド孔Ｇ４を有しており、第１及び第２ガイド孔Ｇ３，Ｇ４内で、摺動部材Ｓ１が移動することで、第１挟持板１６Ａ及び第２挟持板１６Ｂの間の間隙の大きさを調節することができる。よって、かかる間隙内に積層体（図１２には図示しない）を配置することで、積層体に対して挟持圧を印加することができる。積層体の配置方向は、図１２における上下方向、即ち、挟持圧の印加方向と、積層方向が一致するような方向であっても良いし、図１３に示すように、挟持圧の印加方向と積層方向とが直交するような方向であっても良い。なお、図１３に示す構成では、積層方向の上側に蓋材１７Ａが、下側に底材１７Ｂがそれぞれ備えられ、これらの蓋材１７Ａ及び底材１７Ｂにより、積層構造を維持するための積層圧力が印加されうる。さらに、図１３に示す構成では、積層圧力の印加される方向に対して垂直な方向における挟持圧力を印加するように、図１２を参照して説明した構造と略同様の構造を有する挟持部材１６’が配置されている。かかる挟持部材１６’は第１挟持板１６Ｃ及び第２挟持板１６Ｄが、両端が摺動部材Ｓ２に連結されてなるブレースＢ２を介して可動に連結されている。第１挟持板１６Ｃは第１ガイド孔Ｇ５を、第２挟持板１６Ｄは、第２ガイド孔Ｇ６を有しており、第１及び第２ガイド孔Ｇ５，Ｇ６内で、摺動部材Ｓ２が移動することで、第１挟持板１６Ｃ及び第２挟持板１６Ｄの間の間隙の大きさを調節することができる。
【００５３】
さらに、図１４に示すように、挟持部材が、例えば、万力等の部材として実装されていても良い。万力の形状としては、挟持圧力を発生可能である限りにおいて、特に限定されることなく、あらゆる形状であり得る。図１４では、本体１６Ｅと、ねじ作用で開閉する可動体１６Ｆとを備える挟持部材１６”を例示する。挟持部材１６”は、可動体１６Ｆと、本体１６Ｅとで積層体１０”を挟みこむことで、積層体１０”の積層方向にて積層圧力を生じさせつつ、積層構造を保持するように作用する。
【００５４】
さらに、図１５Ａ〜Ｂに示すように、挟持部材１６'''が一対の挟持板１６Ｇ及び１６Ｈと、かかる一対の挟持板１６Ｇ及び１６Ｈが対となった状態で保持するベルトＢとを備えていても良い。挟持板１６Ｇ及び１６Ｈの間に積層体１０”を挟み込み、ベルトＢにより生じる積層方向の挟持圧力により、積層体１０”の積層構造が保持される。なお、図１５Ｂの平面図に示すように、挟持部材１６'''は、積層体１０”の長手方向両端部に備えられていても良い。或いは、挟持部材１６'''は、積層体１０”の片側端部のみに備えられても良い。かかる態様は、積層体１０”の積層数が少ない場合に、好適に用いることができる。
【００５５】
（ろ過装置）
本発明のろ過装置は、上記したような本発明のろ過体を備える。本発明のろ過装置は、本発明のろ過体を備えるため、ろ過効率が高く、且つ、ろ材の洗浄容易性に優れる。以下、例として、本発明のろ過装置の３つの実施形態について、図面を参照して説明する。
【００５６】
（１）第１実施形態に係るろ過装置
本発明のろ過装置の第１実施形態では、ろ過装置は、ろ過体に加えて、ろ過体の第２積層断面側に配置され、かかる第２積層断面より流出するろ過水を貯留する処理水貯留部と、処理水貯留部に接続されろ過水を装置外へ流出させる処理水流出部と、を備えることができる。処理水貯留部及び処理水流出部の形状及び配置態様は、ろ過装置の全体構成に応じて種々の態様が有り得る。以下、図１６Ａ〜図２０Ｃを参照して、種々の構造のろ過装置における、各構成部の形状及び配置態様を説明する。なお、図１６Ａ〜図１８Ｂ、及び、図２０Ａ〜Ｃでは、ろ過体として、図１０を参照して説明した、積層断面の平面形状が四角形状であり、積層体の４つの端面を保護する枠体により支持されてなるろ過体を実装したものとして説明する。
【００５７】
図１６Ａは、一例に係るろ過装置２００の斜視図である。ろ過装置２００は、開口部ＡＰを介して第１積層断面が露出するように配置されたろ過体１０２が、カバーＣＶにより筺体１８の内壁に固定されてなる構造を有する。このような構造のろ過装置２００では、筺体１８の外部が一次側領域、筺体１８の内部空間が二次側領域及び処理水貯留部１９に相当し、第１積層断面を介して流入した被処理水がろ過体１０２によりろ過されて、ろ過水となり、筺体１８の内部空間である処理水貯留部１９に貯留される。そして、ろ過装置２００は、処理水流出部２０を介して、ろ過水を装置外へと流出させる。なお、配管等に接続可能なように、処理水流出部２０を構成する管状体は、図示のように、外壁にねじ切りが施されていても良い。
【００５８】
図１６Ｂは、図１６Ａのろ過装置２００をＩ−Ｉ断面で切断したと想定した場合の断面図である。図１６Ｂより明らかなように、ろ過体１０２の第１積層断面１’は、開口部ＡＰを介して、筺体１８の外部、即ち一次側領域に露出しており、ろ過体１０２の第２積層断面２’が、カバーＣＶの開口部を介して処理水貯留部１９に露出している。図１６Ｂにおいて、ろ過体１０２を固定するカバーＣＶはボルトＢＬを介して、筺体１８の内壁に取り付けられている。しかし、ろ過体１０２の筺体１８に対する固定態様は図示した特定の態様に限定されることなく、あらゆる態様であり得る。
【００５９】
図１７Ａは、他の一例に係るろ過装置２０１の斜視図である。ろ過装置２０１は筺体１８Ａの内壁に取り付けられたスロットＳＬに差し込まれることで、筺体１８Ａ内に取り付けられる。図示の態様は、筺体１８Ａが、相互に空間を空けて配置された２つのスロットＳＬを有しており、かかる空間が、処理水貯留部に相当する。また、２つのスロットは、ろ過体１００が取り付けられた場合に、ろ過体１００の第１積層断面１”が、筺体１８Ａの内壁に接しないように、即ち、筺体１８Ａの内壁と第１積層断面１”との間に、空間が設けられるように配置されている。また、筺体１８Ａは、被処理水を流入させる被処理水配管２１を有している。さらに、蓋部１８Ｂは、処理水流出部としてのろ過水配管２０Ａを有している。
【００６０】
そして、図１７Ａに示したろ過装置２０１では、図１７Ｂの断面図に示すように、筺体内部において一次側領域２２と、二次側領域としての処理水貯留部１９Ａとが、ろ過体１００によって区画されている。従って、被処理水配管２１を経て、一次側領域２２に流入した被処理水が、ろ過体１００によりろ過されて処理水貯留部１９Ａに流入し、貯留される。そして、処理水貯留部１９Ａに貯留されたろ過水は、ろ過水配管２０Ａを経て装置外へと流出する。
【００６１】
図１８Ａは、更に他の一例に係るろ過装置２０２の斜視図である。ろ過装置２０２は、２枚のろ過体１００Ａ及び１００Ｂと、当該２枚のろ過体１００Ａ及び１００Ｂの各第２積層断面に隣接するように、２枚のろ過体１００Ａ及び１００Ｂに挟まれて配置された処理水貯留部１９Ｂを備える。図１８Ａでは、処理水貯留部１９Ｂを内部に設けるための具体的な構成として、ろ過体１００Ａ及び１００Ｂの備える枠体と同じ形状の枠体１５Ｅを図示している。ろ過体１００Ａ及び１００Ｂと処理水貯留部１９Ｂを内包する枠体１５Ｅとの接続部は、シール部２３によりシールされている。シール部２３は、ろ過体１００Ａ及び１００Ｂと処理水貯留部１９Ｂを内包する枠体１５Ｅとの接続部を水密に密閉可能な限りにおいて特に限定されることなく、ゴム等の弾性材料により形成されうる。そして、枠体１５Ｅには、処理水流出部としてのろ過水配管２０Ｂが接続されている。なお、図示しないが、２枚のろ過体１００Ａ及び１００Ｂ、並びに、枠体１５Ｅは、これら全てを貫くボルト状の部材と、かかる部材を固定するナット状の部材とにより連結されていても良い。
【００６２】
図１８Ｂは、図１８Ａに示したろ過装置２０２の断面図を示す。ろ過装置２０２は、ろ過体１００Ａ及び１００Ｂの各第１積層断面から流入した被処理水をろ過水として、処理水流出部としてのろ過水配管２０Ｂより装置外へと流出させる。
【００６３】
図１９Ａは、図１８Ａ〜Ｂを参照して説明したろ過装置２０２と同様の構成を有する、積層断面の平面形状が三角形状の積層体、及びかかる平面形状に応じた形状の枠体を備える２つのろ過体１０３Ａ及び１０３Ｂと、同形状の枠体１５Ｇにより構成される処理水貯留部１９Ｃとを備えるろ過装置２０３を示す図である。枠体１５Ｇには、処理水流出部としてのろ過水配管２０Ｃが接続されている。第１積層断面から流入した被処理水はろ過水となって処理水貯留部１９Ｃに貯留され、ろ過水配管２０Ｃより装置外へと流出させる。
【００６４】
図１９Ｂに示すように、図１９Ａに示すような特定の形状のろ過装置２０３は、汚泥の沈殿を促進するように機能し得る複数の傾斜板４０１を備えた沈殿池４００等において、空いたスペースに好適に配置することができる。このように、ろ過装置の形状を設置箇所に応じた形状とすることで、限られたスペースに配置されうる水処理装置のろ過性能を効率的に高めることができる。
【００６５】
図２０Ａは、更に他の一例に係るろ過装置２０４の分解斜視図である。ろ過装置２０４では、２枚のろ過体１００Ａ及び１００Ｂの各第２積層断面が、積層方向に対して垂直な平面において、鋭角αを成すように配置されてなる。従って、２枚のろ過体１００Ａ及び１００Ｂに挟まれた処理水貯留部を内包する枠体１５Ｈの形状は、図示するように、一つの角が鋭角αである、三角形の面を上下の面とし、且つ、少なくとも２つの側面がそれぞれろ過体を含んでなる、三角柱状であり得る。なお、枠体１５Ｈは、処理水流出部としてのろ過水配管２０Ｄを有している。
【００６６】
そして、図２０Ｂに断面図を示すように、ろ過装置２０４は、ろ過体１００Ａ及び１００Ｂの各第１積層断面より流入した被処理水をろ過水として、ろ過水配管２０Ｄを介して装置外へと流出させる。
【００６７】
図２０Ａ〜Ｂに示すような特定の形状のろ過装置２０４は、図２０Ｃに示すように互い違いに配置することで、直方体形状のろ過槽５００内にて効率的に配置することができる。なお、図示のように、各ろ過装置２０４に備えられたろ過水配管２０Ｄは、ろ過槽５００外にて、集合管５０１に接続されていても良い。このように、ろ過装置の形状を設置箇所に応じた形状としつつ、適正な配置とすることで、限られたスペースに配置されうる水処理装置のろ過性能を効率的に高めることができる。
【００６８】
（２）第２実施形態に係るろ過装置
図２１Ａは、本発明の第２実施形態に係るろ過装置２０５の断面図である。かかるろ過装置２０５は、ろ過体１０４と、ろ過体１０４により一次側領域と二次側領域とに区分された流路３０と、を備える。図２１ＡにおけるＩＩ−ＩＩ断面図を図２１Ｂに示す。図２１Ｂから明らかなように、捲回積層体であるろ過体１０４は、緩衝部材３２を介して、取付部材４０により、流路３０を形成する、断面円形の配管３１内に取り付けられている。緩衝部材３２は、緩衝性を呈しつつ、ろ過体１０４と配管３１内壁との間隙を水密に維持出来る部材である限りにおいて特に限定されることなく、所謂「クッション材」として市販されている材料よりなる部材、及び、「ドーナツ」のような平面形状を有するチューブ状の部材（例えば、リング状のうきわのような部材）でありうる。なお、ろ過体１０４の中心部は、捲回中心である芯材７Ｃが配置されうる。芯材７Ｃは、積層断面に露出する面が、被処理水を通さないように閉塞している部材である。かかるろ過体１０４により、流路３０が、ろ過体１０４を基準として、被処理水の流入側領域である一次側領域と、ろ過水の流出側領域である二次側領域とに区分されている。
【００６９】
そして、ろ過装置２０５は、任意で、逆洗弁３３と、流路３０の二次側領域に連通し、バルブ等の開閉手段を備える逆洗配管（図示しない）と、を有していても良い。ろ過効率が低下した場合には、被処理水の送水を停止し、且つ、逆洗弁３３を開放状態とした状態で、ろ過体に対して、二次側領域から一次側領域に向かう方向で、逆洗配管等を介して逆洗水（例えば、ろ過水）を流して、ろ過体１０４を逆流水により洗浄することができる。
【００７０】
なお、図２１Ａ〜Ｂでは、配管３１が断面円形であり、捲回積層体であるろ過体１０４が、かかる配管３１の円形断面に取り付けられる態様を具体的に説明した。しかし、本実施形態に係るろ過装置２０５は、配管が角管であり、積層体の積層断面の平面形状が四角形であっても良い。
【００７１】
（３）第３実施形態に係るろ過装置
本発明のろ過装置の第３実施形態では、ろ過装置は、ろ過体と、当該ろ過体により一次側領域と二次側領域とに区分された特殊な構造の流路とを有することを特徴とする。特殊な構造の流路について、図２２を参照して説明する。図２２に示すように、ろ過装置２０６の流路３０’は、ろ過体１０４により一次側領域と二次側領域とに区分されている。そして、ろ過装置２０６は、ろ過体１０４に対して被処理水が流入する側である一次側領域において、流路３０’に、軸線方向に対して垂直な断面形状が、ろ過体１０４の平面形状と同じであるテーパ部３４を有し、且つ、流路３０’の二次側領域内に、二次側領域から一次側領域に向かう方向でろ過体１０４を押圧可能に構成された押圧具３５を有する。そして、押圧具３５により押圧されたろ過体１０４の一部が、テーパ部３４の内表面の一部に接触することにより、ろ過方向にてろ過体１０４が位置決めされて保持される。
【００７２】
図２２に示したろ過装置２０６において、テーパ部３４と押圧具３５とにより、ろ過方向におけるろ過体の位置を定める、という構造を採用したことで、水流等の影響によりろ過体の大きさが変動した場合にも、ろ過体１０４により一次側領域と二次側領域とが区分された状態を良好に維持することができる。例えば、ろ過体１０４が捲回積層体である場合に、被処理水の水流の影響により、捲きが緩まる、又は、締まる等して、ろ過体１０４の積層断面の直径が変動することがある。このような場合に、押圧具３５により押圧されつつ、テーパ部３４の軸線方向にてろ過体１０４の位置が変更され、その時点でのろ過体１０４の平面形状に適した位置で留まることで、テーパ部３４内にて隙間なくろ過体１０４を保持することができ、流路３０’において一次側領域と二次側領域とが区分された状態を良好に保持することができる。
【００７３】
なお、図２２にて示しているようにテーパ部３４が弾性部材３６を内壁に有していても良い。かかる弾性部材により、ろ過体１０４を一層水密に支持することが可能となり、流路３０’において一次側領域と二次側領域とが区分された状態を一層良好に保持することができる。
【産業上の利用可能性】
【００７４】
本発明によれば、有効ろ過面積比が充分に大きく、且つ、洗浄容易性に優れるろ材を用いた、高効率なろ過方法及びろ過装置を提供することができる。
また、本発明によれば、本発明のろ過方法に好適に用い得るろ過体及び当該ろ過体に好適に適用されうる積層体を提供することができる。
【符号の説明】
【００７５】
１〜１”            第１積層断面
２〜２”            第２積層断面
３〜３'''              シート状体
４                  汚泥堆積層
５α〜５ε          連結部
６ａ〜６ｅ          層
７Ａ                第１の棒
７Ｂ                第２の棒
７Ｃ                芯材
８                  固定具
８Ａ                第１のガイド棒
８Ｂ                第２のガイド棒
９                  ナット
１０〜１０”        積層体
１１、１１’        捲回積層体
Ｇ１〜Ｇ６          ガイド孔
Ｌ                  レバー
１２                支持棒
１３                孔
１４                頭部
１５Ａ              第１枠部材
１５Ｂ              第２枠部材
１５Ｃ              上側枠部材
１５Ｄ              下側枠部材
１５Ｅ〜Ｈ          枠体
１６〜１６”        挟持部材
１６Ａ〜Ｄ、Ｇ〜Ｈ  挟持板
１６Ｅ              本体
１６Ｆ              可動体
１７Ａ              蓋材
１７Ｂ              底材
１８、１８Ａ        筺体
１８Ｂ              蓋部
１９、１９Ａ〜Ｃ    処理水貯留部
２０                処理水流出部
２０Ａ〜Ｄ          ろ過水配管
２１                被処理水配管
２２                一次側領域
２３                シール部
３０、３０’        流路
３１                配管
３２                緩衝部材
３３、３３’         逆洗弁
３４                テーパ部
３５                押圧具
３６                弾性部材
４０                取付部材
１００〜１０２      ろ過体
１００Ａ〜Ｂ        ろ過体
２００〜２０５      ろ過装置
４００              沈殿池
４０１              傾斜板
５００              ろ過槽
５０１              集合管
ＡＰ                開口部
Ｂ                  バンド
ＣＶ                カバー
ＥＤ                エッジ部分
Ｌ                  レバー
Ｐ                  ピボット
【図１】
2020146615.tif 000003
【図２】
2020146615.tif 000004
【図３】
2020146615.tif 000005
【図４】
2020146615.tif 000006
【図５】
2020146615.tif 000007
【図６】
2020146615.tif 000008
【図７】
2020146615.tif 000009
【図８】
2020146615.tif 000010
【図９】
2020146615.tif 000011
【図１０】
2020146615.tif 000012
【図１１Ａ】
2020146615.tif 000013
【図１１Ｂ】
2020146615.tif 000014
【図１２】
2020146615.tif 000015
【図１３】
2020146615.tif 000016
【図１４】
2020146615.tif 000017
【図１５Ａ】
2020146615.tif 000018
【図１５Ｂ】
2020146615.tif 000019
【図１６Ａ】
2020146615.tif 000020
【図１６Ｂ】
2020146615.tif 000021
【図１７Ａ】
2020146615.tif 000022
【図１７Ｂ】
2020146615.tif 000023
【図１８Ａ】
2020146615.tif 000024
【図１８Ｂ】
2020146615.tif 000025
【図１９Ａ】
2020146615.tif 000026
【図１９Ｂ】
2020146615.tif 000027
【図２０Ａ】
2020146615.tif 000028
【図２０Ｂ】
2020146615.tif 000029
【図２０Ｃ】
2020146615.tif 000030
【図２１Ａ】
2020146615.tif 000031
【図２１Ｂ】
2020146615.tif 000032
【図２２】
2020146615.tif 000033